(57)【特許請求の範囲】
【請求項１】
リール本体に対してスプール軸とともに前後移動自在なスピニングリールのスプールであって、
前記スプール軸に設けられ、外周に釣り糸が巻かれる筒状の糸巻胴部と、
前記糸巻胴部の前方に設けられ糸巻胴部前端部の外径よりも大径のフランジ部と、
前記糸巻胴部の後方に設けられ糸巻胴部後端部の外径よりも大径のスカート部とを備え、
前記糸巻胴部は、
前記スプール軸の軸芯を含む一断面での前端部側の外周部間の距離が、前記一断面の後端部側の外周部間の距離より小さく形成され、
前記スプール軸芯を含む前記一断面と異なる他断面での前端部側の外周部間の距離が、前記他断面の後端部側の外周部間の距離より大きく形成されている、
スピニングリールのスプール。
【請求項２】
リール本体に対してスプール軸とともに前後移動自在なスピニングリールのスプールに取り付けられる糸巻補助具であって、
前記スプールの前記スプール軸に設けられる筒状部の外周に着脱自在に装着され、外周に釣り糸が巻かれる筒状の糸巻胴部を備え、
前記糸巻胴部は、
前記スプールに装着された状態において、前記スプール軸の軸芯を含む一断面での前端部側の外周部間の距離が、前記一断面の後端部側の外周部間の距離より小さく形成され、
前記スプールに装着された状態において、前記スプール軸芯を含む前記一断面と異なる他断面での前端部側の外周部間の距離が、前記他断面の後端部側の外周部間の距離より大きく形成されている、
糸巻補助具。
【請求項３】
前記糸巻胴部は、
前記一断面の前端部と後端部との間の外周部間の距離は、前記後端部から前記前端部へ向かって徐々に小さくなるように形成され、
前記他断面の前端部と後端部との間の外周部間の距離は、前記後端部から前記前端部へ向かって徐々に大きくなるように形成されている、
請求項１に記載のスピニングリールのスプール、又は請求項２に記載の糸巻補助具。
【請求項４】
前記スプール軸芯と実質的に直交する面での前端部断面及び後端部断面の少なくともいずれか一方の形状は非円形である、請求項１から３のいずれかに記載のスピニングリールのスプール又は糸巻補助具。
【請求項５】
前記前端部断面及び前記後端部断面の少なくともいずれか一方の形状は楕円形である、請求項１から４のいずれかに記載のスピニングリールのスプール又は糸巻補助具。
【請求項６】
前記前端部断面及び前記後端部断面の少なくともいずれか一方の形状は略多角形である、請求項１から５のいずれかに記載のスピニングリールのスプール又は糸巻補助具。
【請求項７】
前記一断面及び前記他断面は互いに直交する断面である、請求項１から６のいずれかに記載のスピニングリールのスプール又は糸巻補助具。
【請求項８】
前記一断面及び前記他断面の少なくともいずれか一方の形状は略台形である、請求項１から７のいずれかに記載のスピニングリールのスプール又は糸巻補助具。
【請求項９】
前記スプール軸芯と実質的に直交する面での前記前端部と前記後端部との間の断面の形状は円形である、請求項１から８に記載のスピニングリールのスプール又は糸巻補助具。
【発明の詳細な説明】
【０００１】
【発明の属する技術分野】
本発明は、スプール及び糸巻補助具、特に、リール本体に対して前後移動自在なスピニングリールのスプール及び前記スプールに取り付けられる糸巻補助具に関する。
【０００２】
【従来の技術】
一般にスピニングリールは、ハンドルを回転自在に支持するリール本体と、ロータと、スプールとを備えている。このスプールは、リール本体に対して前後移動自在であり、釣り糸が巻かれる円筒状の糸巻胴部と、糸巻胴部の前端に配置され糸巻胴部より大径のフランジ部と、糸巻胴部の後方に一体成形されたスカート部とを有している。
【０００３】
この種のスプールでは、糸巻胴部はリール本体に回転自在に支持されたスプール軸に直接又はドラグ機構を介して装着されており、糸巻胴部及びフランジ部のスプール軸の軸芯に直交する断面は円形に形成されている。また糸巻胴部のスプール軸芯を含む断面での形状が、前方に向かうほど縮径する順テーパが形成されたものや、また後方に向かうほど縮径する逆テーパが形成されたものが知られている。
【０００４】
【発明が解決しようとする課題】
このような従来のスプールにおいて、順テーパスプールやテーパのないフラットなスプールでは、巻き付けられた釣り糸がフランジ部から前方にこぼれ落ちる、バックラッシュが生じやすい。
また、逆テーパスプールではバックラッシュを起こりにくくすることができるが、釣り糸がスカート部後方に移動し、スカート部後端からスプール内側に侵入してロータ円筒部やスプール軸に絡み付く、糸落ちを防ぐことができない。
【０００５】
本発明の課題は、スピニングリールのスプールにおいて、バックラッシュ及び糸落ちを防止することにある。
【０００６】
【課題を解決するための手段】
発明１に係るスピニングリールのスプールは、リール本体に対してスプール軸とともに前後移動自在なスピニングリールのスプールであって、スプール軸に設けられ、外周に釣り糸が巻かれる筒状の糸巻胴部と、糸巻胴部の前方に設けられ糸巻胴部前端部の外径よりも大径のフランジ部と、糸巻胴部の後方に設けられ糸巻胴部後端部の外径よりも大径のスカート部とを備えている。糸巻胴部は、スプール軸の軸芯を含む一断面での前端部側の外周部間の距離が、一断面の後端部側の外周部間の距離より小さく形成され、スプール軸芯を含む一断面と異なる他断面での前端部側の外周部間の距離が、他断面の後端部側の外周部間の距離より大きく形成されている。
【０００７】
このスプールでは、スプール軸芯を含む異なる断面において、前端部及び後端部の外周部間の距離の大小関係が逆になるように形成されている。したがって、糸巻胴部のある部分では、前端部の外周部間の距離が後端部より小さく、たとえば後端部から前端部へ縮径する順テーパとなっている。また糸巻胴部の他の部分では、前端部の外周部間の距離が後端部より大きく、たとえば前端部から後端部へ縮径する逆テーパとなっている。ここでは、逆テーパ部分により、釣り糸の前方への移動が規制され、バックラッシュを起こりにくくすることができる。また順テーパ部分により、釣り糸の後方への移動を抑えることで、糸落ちを防ぐことができる。
【０００８】
発明２に係る糸巻補助具は、リール本体に対してスプール軸とともに前後移動自在なスピニングリールのスプールに取り付けられる糸巻補助具であって、スプールのスプール軸に設けられる筒状部の外周に着脱自在に装着され、外周に釣り糸が巻かれる筒状の糸巻胴部を備え、糸巻胴部は、スプールに装着された状態において、スプール軸の軸芯を含む一断面での前端部側の外周部間の距離が、一断面の後端部側の外周部間の距離より小さく形成され、スプールに装着された状態において、スプール軸芯を含む一断面と異なる他断面での前端部側の外周部間の距離が、他断面の後端部側の外周部間の距離より大きく形成されている。
【０００９】
この場合は、スプールに装着された糸巻補助具の糸巻胴部に逆テーパ部分及び順テーパ部分を形成可能であるので、発明１と同様に、バックラッシュ及び糸落ちを防ぐことができる。
発明３に係るスプール又は糸巻補助具は、発明１のスプール又は発明２の糸巻補助具において、糸巻胴部は、一断面の前端部と後端部との間の外周部間の距離は、後端部から前端部へ向かって徐々に小さくなるように形成され、他断面の前端部と後端部との間の外周部間の距離は、後端部から前端部へ向かって徐々に大きくなるように形成されている。
【００１０】
この場合は、外周部間の距離が徐々に変化するように形成されているので、糸巻胴部の外形を滑らかな形状にすることができる。
発明４に係るスプール又は糸巻補助具は、発明１から３のいずれかのスプール又は糸巻補助具において、スプール軸芯と実質的に直交する面での前端部断面及び後端部断面の少なくともいずれか一方の形状は非円形である。
【００１１】
発明５に係るスプール又は糸巻補助具は、発明１から４のいずれかのスプール又は糸巻補助具において、前端部断面及び後端部断面の少なくともいずれか一方の形状は楕円形である。
発明６に係るスプール又は糸巻補助具は、発明１から５のいずれかのスプール又は糸巻補助具において、前端部断面及び後端部断面の少なくともいずれか一方の形状は略多角形である。
【００１２】
発明７に係るスプール又は糸巻補助具は、発明１から６のいずれかのスプール又は糸巻補助具において、一断面及び他断面は互いに直交する断面である。
この場合は、順テーパ部分と逆テーパ部分とが直交する位置に形成されるので、バランス良く各テーパ部分を配置することにより、さらにバックラッシュ及び糸落ちを防ぐことができる。
【００１３】
発明８に係るスプール又は糸巻補助具は、発明１から７のいずれかのスプール又は糸巻補助具において、一断面及び他断面の少なくともいずれか一方の形状は略台形である。
発明９に係るスプール又は糸巻補助具は、発明１から８のいずれかのスプール又は糸巻補助具において、スプール軸芯と実質的に直交する面での前端部と後端部との間の断面の形状は円形である。
【００１４】
【発明の実施の形態】
〔第１実施形態〕
本発明の第１実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１５】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１６】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。
【００１７】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００１８】
ロータ３は、図２に示すように、円筒部３０と、円筒部３０の側方に互いに対向して設けられた第１及び第２ロータアーム３１、３２とを有している。円筒部３０と両ロータアーム３１、３２とは、たとえばアルミニウム合金製であり一体成形されている。
円筒部３０の前部には前壁３３が形成されており、前壁３３の中央部にはボス部３３ａが形成されている。ボス部３３ａの中心部には貫通孔が形成されており、この貫通孔をピニオンギア１２の前部１２ａ及びスプール軸１５が貫通している。前壁３３の前部にナット１３が配置されており、ナット１３の内部にスプール軸１５を回転自在に支持する軸受３５が配置されている。
【００１９】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００２０】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端内周側には、第２ベール支持部材４２が揺動自在に装着されている。
【００２１】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２２】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる筒状の糸巻胴部７ａと糸巻胴部７ａの後端部に一体で形成された大径筒状のスカート部７ｂとを有するスプール本体７と、糸巻胴部７ａの前端部に装着された大径のフランジ部８と、フランジ部８をスプール本体７に固定するためのフランジ固定部材９とを有している。
【００２３】
スプール本体７は、たとえばアルミニウム合金を鍛造成形して得られた大小２段の筒状の部材であり、２つの軸受５６、５７によりスプール軸１５に回転自在に装着されている。
糸巻胴部７ａは、図３に拡大して示すように、筒状部１６と、筒状部１６の内周側に一体形成された円板部１７と、円板部１７の内周側に形成された１対のボス部１８ａ、１８ｂとを有している。筒状部１６の内周面には、フランジ固定部材９を装着するための雌ネジ部が形成されている。ボス部１８ａ、１８ｂの内周部には軸受５６、５７が装着されている。
【００２４】
スカート部７ｂは、ロータ３の円筒部３０を覆うように糸巻胴部７ａと一体で鍛造成形されている。
フランジ部８は、外周に行くほど前方に傾斜し、かつその傾斜角度が７度以下になるように形成された金属製又は硬質セラミック製の傷つきにくい板状の部材である。フランジ部８の外径は、スカート部７ｂのそれとほぼ同径になるように形成されている。
【００２５】
このようなスプール４は、図４に示すように、糸巻胴部７ａが一様な円筒状ではなく各断面により形状が異なる変形スプールである。図５及び図６に示すように、スプール軸１５の軸芯Ｘを含む断面は、前端部及び後端部の長さが異なる等脚台形である。さらに図５では前端部へ向かって徐々に縮径する順テーパであるのに対し、この断面と直交する断面である図６では後端部へ向かって徐々に縮径する逆テーパである。図７から図９に示すように、前端部のスプール軸芯Ｘに直交する断面（図７）は楕円形であり、後端部のスプール軸芯Ｘに直交する断面（図９）は前端部の楕円形の長短軸が直交する逆向きの楕円形となっている。そして前端部と後端部の間のスプール軸芯Ｘに直交する断面（図８）は円形である。
【００２６】
ここでは、糸巻胴部７ａには逆テーパ及び順テーパが形成されているので、釣り糸を巻き付けたときにバックラッシュ及び糸落ちが生じにくくなる。
〔第２実施形態〕
本発明の第２実施形態を採用した糸巻補助具５０は、図１０に示すように、スプール４の糸巻胴部７ａに装着可能な内径を有する合成樹脂製又は金属製の筒状の部材である。糸巻補助具５０は、内周側が糸巻胴部７ａに装着可能な第１胴部５０ａ及び第２胴部５０ｂを有する２つ割の筒状体である。第１胴部５０ａ及び第２胴部５０ｂの割部分には、それぞれ凹凸嵌合部５０ｃ、５０ｄが形成されており、第１胴部５０ａ及び第２胴部５０ｂが径方向に位置決めされるように構成されている。糸巻補助具５０は、図１１に示すように、糸巻胴部７ａに装着したときの外周側形状は、第１実施形態のスプール４の糸巻胴部７ａのそれと同様に、各断面により形状の異なる変形スプールとなっている。なおその他の構成は第１実施形態と同様であるので省略する。ここでは糸巻補助具５０の第１胴部５０ａ及び第２胴部５０ｂには逆テーパ及び順テーパが形成されているのでバックラッシュ及び糸落ちを防ぐことができる。
【００２７】
〔他の実施形態〕
（ａ）  前記実施形態では、糸巻胴部７ａのスプール軸芯Ｘに直交する断面は楕円形に形成されていたが、これに限定されるものではない。たとえば図１２及び図１３に示すように、断面を略三角形や略四角形に形成してもよい。
（ｂ）  前記実施形態では、糸巻胴部７ａのスプール軸芯Ｘを含む断面は等脚台形に形成されていたが、これに限定されるものではない。
【００２８】
（ｃ）  スプール軸芯Ｘに直交する断面及びスプール軸芯Ｘを含む断面は、前記実施形態に限定されるものではなく、任意の断面を取り得る。
【００２９】
【発明の効果】
本発明によれば、糸巻胴部に逆テーパ及び順テーパを形成することにより、バックラッシュ及び糸落ちを防止することができる。
【図面の簡単な説明】
【図１】本発明の第１実施形態によるスピニングリールの右側面図。
【図２】前記スピニングリールの左側面断面図。
【図３】前記スピニングリールのスプールの拡大断面図。
【図４】前記スプールの斜視図。
【図５】前記スプールのＶ−Ｖ断面図。
【図６】前記スプールのVI−VI断面図。
【図７】前記スプールのVII−VII断面図。
【図８】前記スプールのVIII−VIII断面図。
【図９】前記スプールのIX−IX断面図。
【図１０】本発明の第２実施形態による糸巻補助具の分解斜視図。
【図１１】本発明の第２実施形態の糸巻補助具をスプールに装着したときの斜視図。
【図１２】他の実施形態の図７に相当する図。
【図１３】さらに他の実施形態の図７に相当する図。
【符号の説明】
２  リール本体
４  スプール
７ａ  糸巻胴部
７ｂ  スカート部
８  フランジ部
１５  スプール軸
５０  糸巻補助具
Ｘ  スプール軸芯
【図１】
0004128303.tif 000002
【図２】
0004128303.tif 000003
【図３】
0004128303.tif 000004
【図４】
0004128303.tif 000005
【図５】
0004128303.tif 000006
【図６】
0004128303.tif 000007
【図７】
0004128303.tif 000008
【図８】
0004128303.tif 000009
【図９】
0004128303.tif 000010
【図１０】
0004128303.tif 000011
【図１１】
0004128303.tif 000012
【図１２】
0004128303.tif 000013
【図１３】
0004128303.tif 000014